(57)【要約】      （修正有）【課題】ドラグつまみの操作性、経済性、デザイン性を向上させたドラグつまみの提供。【解決手段】ドラグつまみ１０は、操作部材２と、音出し部材３とを備えている。操作部材２は、カバー部２１、インサート部２２、及び、カバー部２１とインサート部２２を固定する固定部材としてのボルト２３とを有する。操作部材２は、リール本体に回転可能に取り付けられる。音出し部材３は、操作部材２の回転により打撃音を発生させる。操作部材２は、径方向に延びるつまみ部２１２を有している。ボルト２３及び音出し部材３は、軸方向視において、つまみ部２１２と重複するように配置される。【選択図】図４
2019115284.tif 000002
【特許請求の範囲】
【請求項１】
釣り用リールのリール本体に回転可能に取り付けられるスプールの回転を制動するドラグ機構のドラグ力を調整するためのドラグつまみであって、
カバー部、前記カバー部に取り付けられるインサート部、及び前記カバー部を前記インサート部に取り付けるための固定部を有し、前記リール本体に回転可能に取り付けられる操作部材と、
前記操作部材の回転により打撃音を発生させる音出し部材と、
を備え、
前記カバー部は、径方向に延びるつまみ部を有し、
前記固定部及び前記音出し部材は、軸方向視において、前記つまみ部と重複するように配置される、
ドラグつまみ。
【請求項２】
前記つまみ部は、径方向において、第１端部及び第２端部を有し、
前記音出し部材は、軸方向視において、前記つまみ部の前記第１端部側と重複するように配置され、
前記固定部は、軸方向視において、前記つまみ部の前記第２端部側と重複するように配置される、
請求項１に記載のドラグつまみ。
【請求項３】
前記固定部は、少なくとも１つのボルトを有し、軸方向視において、前記つまみ部と重複する領域のみに配置される、
請求項１又は２のいずれかに記載のドラグつまみ。
【請求項４】
前記固定部は、１つのボルトのみを有する、
請求項1から３のいずれかに記載のドラグつまみ。
【請求項５】
周方向に配列された複数の凹部を有し、前記リール本体に回転不能に取り付けられる受け部材をさらに備え、
前記音出し部材は、打撃ピンと、前記打撃ピンを前記受け部材の各凹部に向けて付勢する付勢部材とを、有する、
請求項１から４のいずれかに記載のドラグつまみ。
【請求項６】
リール本体と、
前記リール本体に回転可能に装着されるスプールと、
請求項１から５のいずれかに記載のドラグつまみと、
前記スプールの回転を制動するドラグ機構と、
を備える、釣り用リール。
【発明の詳細な説明】
【技術分野】
【０００１】
本発明は、ドラグつまみ、特に、スピニングリールのスプールが装着されるスプール軸の前端に螺合してドラグ機構のドラグ力を調整するドラグつまみ、及び釣り用リールに関するものである。
【背景技術】
【０００２】
一般的に、釣り用リールはスプールの回転を制動するためのドラグ機構を備えている。ドラグ機構は、ドラグつまみを回転させることで、ドラグ力を調整することができる。また、例えば、特許文献１には、ドラグつまみを回転させると、発音ピンが複数の凹部に当接を繰り返して発音する発音機構を有するものが開示されている。
【先行技術文献】
【特許文献】
【０００３】
【特許文献１】特開２００６−１３６２１６号公報
【特許文献２】特開２０１４−１６８４２３号公報
【発明の概要】
【発明が解決しようとする課題】
【０００４】
上述したような構成の釣り用リールにおいて、ドラグつまみの経済性、デザイン性、及び操作性を向上させることが好ましい。そこで、本発明の課題は、ドラグつまみの経済性、デザイン性、及び操作性を向上させることにある。
【課題を解決するための手段】
【０００５】
本発明の第１側面に係るドラグつまみは、釣り用リールのリール本体に回転可能に取り付けられるスプールの回転を制動するドラグ機構のドラグ力を調整するように構成されている。このドラグつまみは、操作部材と、音出し部材とを備えている。操作部材は、カバー部と、カバー部に取り付けられるインサート部と、カバー部をインサート部に取り付けるための固定部とを有する。操作部材は、リール本体に回転可能に取り付けられている。音出し部材は、操作部材の回転により打撃音を発生させる。カバー部は、径方向に延びるつまみ部を有している。固定部及び音出し部材は、軸方向視において、前記つまみ部と重複するように配置される。
【０００６】
操作部材が１つの部材から構成された従来のドラグつまみでは、つまみ部だけが操作されるため、特に釣用手袋で操作された場合において、つまみ部だけが摩耗することがある。また、ドラグつまみが落下等してつまみ部が破損することなどもある。これらのような場合に、ドラグつまみ全体として交換が必要になるなど経済性においても問題がある。また、ドラグつまみは、釣用リールの前面に位置することから、そのデザイン性が問題となる。さらに、これらの問題点を改善するために、操作部材をカバー部とインサート部から構成した場合、これらを固定する固定部が、つまみ部と重複するように配置される一方で、音出し部材はつまみ部と重複しない位置に配置されていた。すなわち、軸方向視において、音出し部材は、つまみ部の側方に配置されていた。
【０００７】
これに対して、本発明に係るドラグつまみでは、操作部材は、カバー部と、カバー部に取り付けられるインサート部とを有している。この構成によれば、つまみ部が摩耗したような場合などにつまみ部のみを交換するだけでよい。また本発明に係るドラグつまみでは、操作部材がカバー部とインサート部とに分かれているため、多様なデザインにすることが可能となる。さらには、本発明に係るドラグつまみでは、軸方向視において、固定部及び音出し部材がつまみ部と重複するように配置されている。このため、従来のドラグつまみにおいて音出し部材が配置されていた位置にスペースを確保することができる。この確保されたスペースに指を配置してつまみ部をつまむことができるため、ドラグつまみのつまみ部をつまみ易くなる。これらの結果、ドラグつまみの経済性、デザイン性、及び操作性を向上させることができる。
【０００８】
好ましくは、つまみ部は、径方向において、第１端部及び第２端部を有する。音出し部材は、軸方向視において、つまみ部の第１端部側と重複するように配置される。固定部は、軸方向視において、つまみ部の第２端部側と重複するように配置される。
【０００９】
好ましくは、固定部は、少なくとも１つのボルトを有する。固定部は、軸方向視において、つまみ部と重複する領域のみに配置される。
【００１０】
好ましくは、固定部は、１つのボルトのみを有する。
【００１１】
好ましくは、ドラグつまみは、受け部材をさらに備える。受け部材は、周方向に配列された複数の凹部を有する。受け部材は、リール本体に回転不能に取り付けられる。音出し部材は、打撃ピンと、打撃ピンを受け部材の各凹部に向けて付勢する付勢部材とを、有する。
【００１２】
本発明の第２側面に係る釣り用リールは、リール本体と、リール本体に回転可能に装着されるスプールと、上記いずれかのドラグつまみと、スプールの回転を制動するドラグ機構と、を備えている。
【発明の効果】
【００１３】
本発明によれば、ドラグつまみの経済性、デザイン性、及び操作性を向上させることができる。
【図面の簡単な説明】
【００１４】
【図１】スピニングリールの断面図。
【図２】ドラグつまみの正面図。
【図３】図２のIII−III線断面図。
【図４】図３の斜視図。
【図５】操作部材の斜視図。
【図６】カバー部の斜視図。
【図７】インサート部の斜視図。
【図８】音出し部材及び受け部材の斜視図。
【発明を実施するための形態】
【００１５】
以下、スピニングリールの実施形態について図面を参照しつつ説明する。なお、以下の説明において、特に断りのない限り、軸方向とはロータ１３の回転軸Ｏが延びる方向を示し、径方向とは回転軸Ｏを中心とした円の径方向を示し、周方向とは回転軸Ｏを中心とした円の周方向を示す。また、前方とは、釣り糸を繰り出す方向（図１の左方向）を言い、後方とは、前方の反対方向（図１の右方向）を言う。
【００１６】
［スピニングリール］
図１に示すように、スピニングリール１００は、釣糸を前方（図１の左方向）に繰り出す。スピニングリール１００は、リール本体１１、スプール１２、ロータ１３、ハンドル１４、及びドラグつまみ１０を備えている。
【００１７】
［リール本体］
リール本体１１は、ハウジング１５、ピニオンギア１６、及びスプール軸１７を有している。また、リール本体１１は、駆動ギア１８、及びオシレーティング機構１９なども有している。
【００１８】
ハウジング１５は、内部空間を有しており、内部空間内に種々の機構を収容している。例えば、駆動ギア１８及びオシレーティング機構１９などがハウジング１５内に収容されている。また、ハウジング１５の側面には、ハンドル１４が回転可能に取り付けられている。ハンドル１４を回転させることによって、駆動ギア１８が回転する。駆動ギア１８は、フェースギアであり、ピニオンギア１６のギア部と噛み合っている。オシレーティング機構１９は、スプール軸１７を軸方向に往復動させる機構である。
【００１９】
スプール軸１７は、ハウジング１５に取り付けられている。スプール軸１７は、前後方向移動可能である。なお、スプール軸１７は、回転軸Ｏを中心に回転しない。スプール軸１７は、ハウジング１５内から前方に延びている。スプール軸１７の中心軸は、実質的に回転軸Ｏと一致する。スプール軸１７は、ハンドル１４を回転させることによって、前後方向に往復動する。詳細には、ハンドル１４の回転が、駆動ギア１８及びオシレーティング機構１９を介して、スプール軸１７を前後方向に往復動させる。
【００２０】
スプール軸１７の先端部は、外周面にネジ山が形成されている。また、スプール軸１７の先端部は、外周面に一対の平坦面を有している。一対の平坦面は、互いに平行に延びている。
【００２１】
ピニオンギア１６は、ハウジング１５に取り付けられている。ピニオンギア１６は、回転軸Ｏを中心に回転可能である。ピニオンギア１６は、ハウジング１５内から前方に延びている。ピニオンギア１６は筒状に形成されている。スプール軸１７が、ピニオンギア１６内を貫通している。ピニオンギア１６は、複数の軸受を介してハウジング１５に支持されていることが好ましい。
【００２２】
［スプール１２］
スプール１２は、釣糸が巻きつけられる部材である。スプール１２は、リール本体１１に回転可能に取り付けられる。詳細には、スプール１２は、スプール軸１７に取り付けられている。スプール１２は、スプール軸１７と一体的に前後方向に往復動する。
【００２３】
スプール１２は、スプール軸１７に対して回転可能である。スプール１２は、スプール軸１７にドラグ機構２０を介して装着されている。スプール１２の回転は、ドラグ機構２０によって制動される。ドラグ機構２０は、複数の摩擦板を有している。複数の摩擦板が互いに摩擦係合することによって、スプール１２の回転を制動する。例えば、複数の摩擦板のうち一部の摩擦板は、スプール軸１７に回転不能に取り付けられている。
【００２４】
［ロータ１３］
ロータ１３は、スプール１２に釣糸を巻きつけるための部材である。ロータ１３は、リール本体１１に回転可能に取り付けられる。詳細には、ロータ１３は、ピニオンギア１６に固定されており、ピニオンギア１６と一体的に回転する。
【００２５】
［ドラグつまみ］
ドラグつまみ１０は、ドラグ機構２０のドラグ力を調整するための部材である。ドラグつまみを操作して回転軸Ｏ周りに回転させることによって、ドラグ機構２０のドラグ力を調整することができる。
【００２６】
図２〜図４に示すように、ドラグつまみ１０は、操作部材２、音出し部材３、受け部材４、移動部材５、第１付勢部材６、及びシール部材７を有している。
【００２７】
［操作部材２］
操作部材２は、リール本体１１に回転可能に取り付けられる。詳細には、操作部材２は、移動部材５を介して、スプール軸１７に回転可能に取り付けられている。操作部材２は、カバー部２１、インサート部２２、ボルト２３（固定部材の一例）を有している。
【００２８】
［カバー部］
図５及び図６に示すように、カバー部２１は、環状部２１１と、つまみ部２１２とを有している。環状部２１１は、環状であって、操作部材２の外周縁部を構成している。
【００２９】
つまみ部２１２は、径方向に延びている。使用者は、このつまみ部２１２をつまんで、操作部材２を回転操作する。つまみ部２１２は、径方向において、第１端部２１３及び第２端部２１４を有する。つまみ部２１２の第１及び第２端部２１４は、環状部２１１と連結している。詳細には、つまみ部２１２と環状部２１１とは、１つの部材で構成されている。
【００３０】
つまみ部２１２は、径方向に延びるスリット２１５を有している。また、図３及び図４に示すように、つまみ部２１２は、後面にネジ孔２１６を有している。スリット２１５は、つまみ部２１２の第１端部２１３側に配置されており、ネジ孔２１６は、つまみ部２１２の第２端部２１４側に配置されている。なお、つまみ部２１２の第１端部２１３側とは、つまみ部２１２の回転軸よりも第１端部２１３側を意味し、つまみ部２１２の第２端部２１４側とは、つまみ部２１２の回転軸よりも第２端部２１４側を意味する。
【００３１】
図６に示すように、つまみ部２１２は、中央部において、環状の取付部２１７を有している。この取付部２１７は、中央部に貫通孔を有している。
【００３２】
［インサート部］
図３から図５に示すように、インサート部２２は、カバー部２１に取り付けられる。ボルト２３によって、インサート部２２はカバー部２１に取り付けられる。ボルト２３は、カバー部２１のネジ孔２１６に螺合する。
【００３３】
また、図７に示すように、インサート部２２は、第１突起部２２１、第２突起部２２２を有している。第１突起部２２１は、径方向に延びている。第１突起部２２１は、板状であって、前方に突出している。第２突起部２２２は、円筒状であって、前方に突出している。第２突起部２２２は、インサート部２２の中央部に配置されている。
【００３４】
図５に示すように、インサート部２２をカバー部２１に取り付けた状態において、第１突起部２２１は、スリット２１５に嵌合している。また、第２突起部２２２は、取付部２１７の貫通孔に嵌合している。第１突起部２２１は、つまみ部２１２の第１端部２１３側に配置され、ボルト２３は、つまみ部２１２の第２端部２１４側に配置されている。このように、第１突起部２２１とボルト２３とは、対称に配置されている。
【００３５】
図７に示すように、インサート部２２は、外周壁部２２３と、内周壁部２２４とを有している。外周壁部２２３は、前方に行くほど、径が大きくなるように構成されている。外周壁部２２３の先端面は、カバー部２１の環状部２１１の後面と当接している。
【００３６】
内周壁部２２４は、外周壁部２２３と径方向に間隔をあけて配置されている。内周壁部２２４は、前方に行くほど、径が小さくなるように構成されている。図３に示すように、内周壁部２２４は、インサート部２２の裏面において嵌合凹部２２５を画定している。
【００３７】
嵌合凹部２２５に、移動部材５が嵌合する。例えば、軸方向視における嵌合凹部２２５の輪郭は、移動部材５の輪郭と実質的に同じである。このため、インサート部２２と移動部材５とは、一体的に回転する。なお、移動部材５は、インサート部２２に対して軸方向に移動可能である。
【００３８】
図７に示すように、インサート部２２は、第１及び第２支持壁部２２６ａ、２２６ｂを有している。第１及び第２支持壁部２２６ａ、２２６ｂは、前方に突出している。第１及び第２支持壁部２２６ａ、２２６ｂは、外周壁部２２３と内周壁部２２４との間を径方向に延びている。第１支持壁部２２６ａと第２支持壁部２２６ｂとは、回転軸を中心に対称に配置されている。
【００３９】
第１支持壁部２２６ａは、つまみ部２１２の第１端部２１３側の後方に配置されている。そして、第１支持壁部２２６ａは、つまみ部２１２の第１端部２１３側を後方から支持している。また、第２支持壁部２２６ｂは、つまみ部２１２の第２端部２１４側の後方に配置されている。そして、第２支持壁部２２６ｂは、つまみ部２１２の第２端部２１４側を後方から支持している。
【００４０】
第１突起部２２１は、第１支持壁部２２６ａから前方に突出している。また、図３及び図４に示すように、第１支持壁部２２６ａ内を延びるように、収容凹部２２７が形成されている。第２支持壁部２２６ｂは、軸方向に貫通する貫通孔２２８を有している。この貫通孔２２８内をボルト２３が貫通する。
【００４１】
［ボルト］
ボルト２３は、上述したように、インサート部２２をカバー部２１に取り付けている。詳細には、ボルト２３は、インサート部２２の貫通孔２２８を貫通し、カバー部２１のネジ孔２１６に螺合する。
【００４２】
本実施形態では、操作部材２は、インサート部２２をカバー部２１に取り付けるためのボルト２３を１つのみ有している。ボルト２３は、軸方向視において、つまみ部２１２と重複するように配置される。詳細には、ボルト２３は、軸方向視において、つまみ部２１２の第２端部２１４側と重複するように配置される。
【００４３】
［移動部材］
移動部材５は、操作部材２と一体的に回転する。また移動部材５は、操作部材２に対して軸方向に移動可能である。移動部材５は、例えば、ナットなどである。移動部材５は、スプール軸１７の先端部に螺合している。このため、移動部材５は、操作部材２の回転によって軸方向に進退する。
【００４４】
移動部材５が後方（図３の右側）に移動すると、第１付勢部材６が圧縮されて、第１付勢部材６による付勢力が大きくなる。この結果、受け部材４によるドラグ機構２０を押圧する力が大きくなり、スプール１２の回転を制動する。一方、移動部材５が前方（図３の左側）に移動すると、第１付勢部材６による付勢力が小さくなる。この結果、受け部材４によるドラグ機構２０を押圧する力が小さくなり、スプール１２が回転可能となる。
【００４５】
［受け部材］
受け部材４は、第１付勢部材６による付勢力を受けて、スプール１２にドラグ力を付与するための部材である。受け部材４は、円板部４１、円筒部４２、及びフランジ部４３を有する。受け部材４は、スプール軸１７に取り付けられている。受け部材４は、回転不能であり、軸方向に移動可能である。
【００４６】
円板部４１は、中央部に貫通孔４１１を有している。円板部４１は、貫通孔４１１を画定する内周面において、一対の平坦面を有している。この一対の平坦面は、スプール軸１７の一対の平坦面と係合している。このため、受け部材４はスプール軸１７に対して回転不能である。
【００４７】
円筒部４２は、円板部４１の外周縁部から前方に延びている。フランジ部４３は、円筒部４２の先端部から径方向外側に延びている。図８に示すように、フランジ部４３の前面には、複数の凹部４３１が形成されている。各凹部４３１は、周方向に配列されている。
【００４８】
［第１付勢部材］
図３に示すように、第１付勢部材６は、移動部材５と受け部材４との間に配置されている。第１付勢部材６は、受け部材４を後方に付勢している。第１付勢部材６は、例えば圧縮された状態のコイルバネである。
【００４９】
［シール部材］
シール部材７は、受け部材４の円筒部４２に取り付けられている。シール部材７は、操作部材２と受け部材４との間から浸水することを防止するように構成されている。
【００５０】
［音出し部材］
音出し部材３は、操作部材２を回転させることによって打撃音を発生させるように構成されている。詳細には、音出し部材３は、打撃ピン３１と、第２付勢部材３２とを有している。なお、第２付勢部材３２が、本発明の付勢部材に相当する。
【００５１】
音出し部材３は、収容凹部２２７に収容されている。このため、音出し部材３は、軸方向視において、つまみ部２１２と重複するように配置される。詳細には、音出し部材３は、軸方向視において、つまみ部２１２の第１端部２１３側と重複するように配置されている。音出し部材３は、回転軸Ｏを中心に、ボルト２３と概ね対称に配置されている。
【００５２】
打撃ピン３１は、第２付勢部材３２によって、受け部材４に向かって付勢されている。図８に示すように、打撃ピン３１は、受け部材４の凹部４３１の内壁面と当接している。操作部材２を回転させると、音出し部材３が回転軸Ｏを中心に回転する一方で、受け部材４は回転しない。このため、音出し部材３の打撃ピン３１が受け部材４を打撃し、音を発生させる。
【００５３】
［変形例］
以上、本発明の実施形態について説明したが、本発明はこれらに限定されるものではなく、本発明の趣旨を逸脱しない限りにおいて種々の変更が可能である。
【００５４】
（ａ）上記実施形態では、操作部材２は、インサート部２２をカバー部２１に取り付けるためのボルト２３を１本のみ有していたが、複数のボルト２３を有していてもよい。この場合、複数のボルト２３は、軸方向視において、つまみ部２１２と重複する領域のみに配置されることが好ましい。
【００５５】
（ｂ）上記実施形態では、固定部材としてボルト２３を用いてインサート部２２をカバー部２１に取り付けているが、ボルト２３以外の固定部材によって、インサート部２２をカバー部２１に取り付けてもよい。
【００５６】
（ｃ）上記実施形態では、音出し部材３は、打撃ピン３１と第２付勢部材３２とから構成されているが、音出し部材３の構成はこれに限定されない。
【符号の説明】
【００５７】
２    操作部材
２１    カバー部
２１２    つまみ部
２１３    第１端部
２１４    第２端部
２２    インサート部
２３    ボルト
３    音出し部材
４    受け部材
６    付勢部材
１１    リール本体
１２    スプール
２０    ドラグ機構
【図１】
2019115284.tif 000003
【図２】
2019115284.tif 000004
【図３】
2019115284.tif 000005
【図４】
2019115284.tif 000006
【図５】
2019115284.tif 000007
【図６】
2019115284.tif 000008
【図７】
2019115284.tif 000009
【図８】
2019115284.tif 000010